(57)【要約】【課題】駐車装置において自動車が積載されていない車両積載体を有効利用できるようにする、駐車装置の専用ケースを提供することにある。【解決手段】機械式の駐車装置の専用ケース２０は、宅配物を収容可能な収容空間が内部に形成されたケース本体２１と、ケース本体２１の下部に設けられ路面上を転動可能な複数の車輪２３とを備える。駐車装置において、いずれかの車両積載体５が入出庫位置にある状態で、専用ケース２０は、複数の車輪の転動２３により外部から車両積載体５へ乗り込み可能であり、車両積載体５から外部へ乗り出し可能に構成されている。【選択図】図３
2018112001.tif 000002
【特許請求の範囲】
【請求項１】
機械式の駐車装置の専用ケースであって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
前記専用ケースは、宅配物または保管対象の物を収容可能な収容空間が内部に形成されたケース本体と、前記ケース本体の下部に設けられ路面上を転動可能な複数の車輪とを備え、
いずれかの車両積載体が前記入出庫位置にある状態で、前記専用ケースは、前記複数の車輪の転動により、外部から該車両積載体へ乗り込み可能であり、該車両積載体から外部へ乗り出し可能に構成されている、専用ケース。
【請求項２】
前記専用ケースは、前記状態で、該専用ケースへ荷送人が宅配物を収容するためのものであり、または、該専用ケースから荷受人が宅配物を取り出すためのものである、請求項１に記載の専用ケース。
【請求項３】
前記車両積載体に乗り込んだ前記専用ケースの転倒を防止する転倒防止装置を備える、請求項１または２に記載の専用ケース。
【請求項４】
前記転倒防止装置は、
前記ケース本体における側面と前記車両積載体とを連結する連結部材を備える、請求項３に記載の専用ケース。
【請求項５】
前記連結部材の一端部は、回転軸まわりに回転可能に前記側面に回転可能に結合され、該連結部材の他端部は、前記車両積載体に連結可能に構成されており、
前記回転軸は、前記側面に平行な水平軸、または、前記側面に平行であって前記水平軸から傾いた軸である、請求項４に記載の専用ケース。
【請求項６】
前記転倒防止装置は、
前記車両積載体において前記ケース本体が傾こうとすると、前記車両積載体の上面との接触により、前記ケース本体の傾きを制限する傾きストッパを有する、請求項３に記載の専用ケース。
【請求項７】
前記転倒防止装置は、
前記ケース本体における第１の側面の側で前記車両積載体の上面に連結可能な一端側部と、
前記ケース本体における、前記第１の側面と反対側の第２の側面の側で、前記車両積載体の上面に連結可能な他端側部と、
前記一端側部から前記他端側部まで延びている変形自在な中間部と、を備え、
前記第１の側面の側で前記一端側部を前記車両積載体の上面に連結し、前記中間部を前記ケース本体の上面に掛け、前記第２の側面の側で前記他端側部を前記車両積載体の上面に連結した状態で前記転倒防止装置は使用される、請求項３に記載の専用ケース。
【請求項８】
前記転倒防止装置は、
前記専用ケースと、他の専用ケースとを連結する連結部材を備える、請求項３に記載の専用ケース。
【請求項９】
前記転倒防止装置は、
前記ケース本体に設けられた永久磁石と、
人に操作される操作部と、
前記操作部になされた操作により、前記永久磁石を、待機位置と連結位置との間で前記ケース本体に対して昇降させる昇降機構と、を有し、
前記永久磁石は、前記待機位置から前記連結位置へ下降させられると、前記車両積載体と磁力で引き合うことにより、前記車両積載体に取り外し可能に連結される、請求項３に記載の専用ケース。
【請求項１０】
機械式の駐車装置を利用した宅配物の荷受方法であって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
（Ａ）いずれかの前記車両積載体が前記入出庫位置にある状態で、宅配業者が、宅配物を収容した収容体を該車両積載体に格納し、
（Ｂ）宅配物を前記駐車装置に届けた旨の配達済み情報と、前記収容体を格納した前記車両積載体を特定するための特定情報を、荷受人が確認可能な情報伝達媒体に記録する通知処理を宅配業者が行い、
（Ｃ）前記特定情報により特定される前記車両積載体を入出庫位置へ移動させる旨の指令情報を、荷受人が前記駐車装置に対して入力し、
（Ｄ）前記駐車装置の制御装置は、前記指令情報に従って、前記駐車装置を制御して、前記特定情報により特定される前記車両積載体を入出庫位置へ移動させ、
（Ｅ）前記荷受人が前記入出庫位置の前記収容体内の前記宅配物を受け取る、宅配物の荷受方法。
【請求項１１】
前記収容体は、
前記収容体の内部の収容空間を外部に開く開位置と当該収容空間を外部に対して閉じる閉位置との間で移動可能な開閉部材と、
前記閉位置の前記開閉部材が前記開位置へ移動することを阻止するロック位置と、当該阻止を解除する解除位置との間で移動可能なロック部材と、
予め定められた認証データを受けると前記ロック部材を前記ロック位置から前記解除位置に移動させる解除装置と、を有し、
前記（Ｅ）において、
（Ｅ１）荷受人が、認証データ保持媒体を前記解除装置の読取部から設定距離以内の位置へ持って行き、これにより、前記読取部は、認証データ保持媒体に保持された認証データを無線で読み取り、その結果、該認証データが前記解除装置へ入力され、または
（Ｅ２）荷受人が、前記解除装置の入力部を用いて、認証データを解除装置に入力し、
（Ｅ３）前記解除装置は、前記（Ｅ１）または（Ｅ２）で入力された認証データが、予め記憶されている認証データと一致すると判断したら、前記ロック部材をロック位置から解除位置へ移動させ、
（Ｅ４）荷受人は、前記開閉部材が前記開位置へ移動した状態で、前記収容空間から前記宅配物を取り出す、請求項１０に記載の宅配物の荷受方法。
【請求項１２】
前記収容体は、請求項１〜９のいずれか一項に記載の専用ケースであり、又は、
前記収容体は、前記（Ａ）において、前記車両積載体に乗り込んだ宅配自動車に設けられ又は該宅配自動車に積まれたものであり、又は、
前記収容体は、前記（Ａ）において、前記車両積載体に乗り込んだリヤカーに設けられ又は該リヤカーに積まれたものである、請求項１０または１１に記載の宅配物の荷受方法。
【請求項１３】
機械式の駐車装置を利用した宅配物の荷送方法であって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
（ａ）宅配業者は、前記車両積載体を特定する特定情報を含む宅配関連情報を、荷送人が確認可能な情報伝達媒体に記録する通知処理を行い、該車両積載体は、宅配物を収容可能な収容体を載せたものであり、
（ｂ）前記特定情報により特定される前記車両積載体を入出庫位置へ移動させる旨の指令情報を、荷送人が前記駐車装置に対して入力し、
（ｃ）前記駐車装置の制御装置は、前記指令情報に従って、前記駐車装置を制御して、前記特定情報により特定される前記車両積載体を入出庫位置へ移動させ、
（ｄ）荷送人が前記入出庫位置の前記収容体内に前記宅配物を入れ、
（ｅ）宅配業者が、前記宅配物を前記駐車装置から搬出して荷受人へ配達する、宅配物の荷送方法。
【請求項１４】
前記（ａ）の前に、荷送人が、宅配物の配達の依頼を示す依頼情報を宅配業者に通知し、この依頼情報を受けた宅配業者は前記（ａ）を行う、請求項１３に記載の宅配物の荷送方法。
【請求項１５】
前記情報伝達媒体は、前記駐車装置における操作装置に設けた記憶部と画面により構成され、
前記（ａ）において、前記宅配業者が、前記操作装置の操作部を操作することにより、前記特定情報を入力して前記記憶部に記録させ、
記録された前記特定情報は、前記画面に表示される、請求項１３に記載の宅配物の荷送方法。
【請求項１６】
前記収容体は、請求項１〜９のいずれか一項に記載の専用ケースであり、又は、
前記収容体は、前記車両積載体に乗り込んだ宅配自動車に設けられ又は該宅配自動車に積まれたものであり、又は、
前記収容体は、前記車両積載体に乗り込んだリヤカーに設けられ又は該リヤカーに積まれたものである、請求項１３〜１５のいずれか一項に記載の宅配物の荷送方法。
【発明の詳細な説明】
【技術分野】
【０００１】
本発明は、機械式の駐車装置の専用ケースと、駐車装置を利用した荷受方法および荷送方法に関する。
【背景技術】
【０００２】
駐車装置には、自動車を積載可能な複数の車両積載体（例えばパレット）が設けられている。各車両積載体は、格納位置と入出庫位置との間で移動させられる。入出庫位置にある車両積載体には、駐車装置の外部から自動車が乗り込み可能であり、自動車が乗り込んだ車両積載体は、格納位置へ移動させられて、この自動車の出庫時まで格納位置で待機する。出庫時には、出庫対象の自動車が積載された車両積載体が格納位置から入出庫位置へ移動させられ、入出庫位置の車両積載体から自動車が駐車装置の外部へ乗り出す。このような駐車装置は、例えば特許文献１、２に記載されている。
【先行技術文献】
【特許文献】
【０００３】
【特許文献１】特開平０７−０４２４０１号公報
【特許文献２】特開２００４−０６０１５６号公報
【発明の概要】
【発明が解決しようとする課題】
【０００４】
ところで、宅配物の配達に関して、以下の課題がある。なお、本願において、宅配の依頼主が、荷物を受け取る人を指定して荷物の配達を宅配業者に依頼する場合に、この依頼主を荷送人といい、荷物を受け取る人を荷受人という。また、荷送人が、荷物の配達を宅配業者に依頼することを荷送といい、荷受人が、宅配業者を介して荷物を受け取ることを荷受という。
【０００５】
宅配物の配達に関して、宅配業者は、宅配物を、その荷受人の個人宅まで配達している。この時、荷受人が不在である場合には、宅配業者は、再び、その個人宅へ宅配物を配達しなければならず、二度手間になり配達負担が増える。
一方、宅配物の配達日時が指定されている場合には、荷受人は、その日時に在宅しなければならず不便である。
【０００６】
そのため、宅配に関して、宅配業者の配達負担を減らし、荷受人の上述した不便を解消することが望まれる。
【０００７】
一方、駐車装置において、自動車が積載されていない車両積載体（例えばパレット）を、有効活用することが望まれる。
【０００８】
そこで、本発明の第１の目的は、駐車装置において自動車が積載されていない車両積載体を有効利用できるようにする、駐車装置の専用ケースを提供することにある。
また、本発明の第２の目的は、駐車装置において自動車が積載されていない車両積載体を有効活用できるとともに、宅配業者の配達負担を減らし、宅配業者の配達時に荷受人の在宅を不要にする荷受方法を提供することにある。
本発明の第３の目的は、駐車装置において自動車が積載されていない車両積載体を有効活用できる荷送方法を提供することにある。
【課題を解決するための手段】
【０００９】
上述した第１の目的を達成するため、本発明によると、機械式の駐車装置の専用ケースであって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
前記専用ケースは、宅配物または保管対象の物を収容可能な収容空間が内部に形成されたケース本体と、前記ケース本体の下部に設けられ路面上を転動可能な複数の車輪とを備え、
いずれかの車両積載体が前記入出庫位置にある状態で、前記専用ケースは、前記複数の車輪の転動により、外部から該車両積載体へ乗り込み可能であり、該車両積載体から外部へ乗り出し可能に構成されている、専用ケースが提供される。
【００１０】
上述した第２の目的を達成するため、本発明によると、機械式の駐車装置を利用した宅配物の荷受方法であって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
（Ａ）いずれかの前記車両積載体が前記入出庫位置にある状態で、宅配業者が、宅配物を収容した収容体を該車両積載体に格納し、
（Ｂ）宅配物を前記駐車装置に届けた旨の配達済み情報と、前記収容体を格納した前記車両積載体を特定するための特定情報を、荷受人が確認可能な情報伝達媒体に記録する通知処理を宅配業者が行い、
（Ｃ）前記特定情報により特定される前記車両積載体を入出庫位置へ移動させる旨の指令情報を、荷受人が前記駐車装置に対して入力し、
（Ｄ）前記駐車装置の制御装置は、前記指令情報に従って、前記駐車装置を制御して、前記特定情報により特定される前記車両積載体を入出庫位置へ移動させ、
（Ｅ）前記荷受人が前記入出庫位置の前記収容体内の前記宅配物を受け取る、宅配物の荷受方法が提供される。
【００１１】
上述した第３の目的を達成するため、本発明によると、機械式の駐車装置を利用した宅配物の荷送方法であって、
前記駐車装置は、複数の格納位置にそれぞれ設けられ該格納位置と入出庫位置との間で移動させられる複数の車両積載体を備え、いずれかの車両積載体が前記入出庫位置にある状態で、該車両積載体へ外部から自動車が乗り込み可能であり、該車両積載体から外部へ自動車が乗り出し可能であり、
（ａ）宅配業者は、前記車両積載体を特定する特定情報を含む宅配関連情報を、荷送人が確認可能な情報伝達媒体に記録する通知処理を行い、該車両積載体は、宅配物を収容可能な収容体を載せたものであり、
（ｂ）前記特定情報により特定される前記車両積載体を入出庫位置へ移動させる旨の指令情報を、荷送人が前記駐車装置に対して入力し、
（ｃ）前記駐車装置の制御装置は、前記指令情報に従って、前記駐車装置を制御して、前記特定情報により特定される前記車両積載体を入出庫位置へ移動させ、
（ｄ）荷送人が前記入出庫位置の前記収容体内に前記宅配物を入れ、
（ｅ）宅配業者が、前記宅配物を前記駐車装置から搬出して荷受人へ配達する、宅配物の荷送方法が提供される。
【発明の効果】
【００１２】
上述した本発明の専用ケースは、宅配物または保管対象の物を収容可能な収容空間が内部に形成されたケース本体と、前記ケース本体の下部に設けられ路面上を転動可能な複数の車輪とを備え、駐車装置に格納可能である。また、駐車装置において車両積載体が前記入出庫位置にある状態で、専用ケースは、前記複数の車輪の転動により、外部から該車両積載体へ乗り込み可能であり、該車両積載体から外部へ乗り出し可能である。
【００１３】
したがって、例えば次のように、自動車が積載されていない車両積載体を有効活用できる。
駐車装置において、自動車が積載されていない車両積載体が入出庫位置にある状態で、荷送人が、宅配物を宅配業者に預けるために車両積載体上の専用ケースに宅配物を収容でき、または、荷受人が、配達業者によって駐車装置に配達された宅配物を車両積載体上の専用ケースから取り出すことができる。このように、荷送人が宅配物を宅配業者に預けること、または、荷受人が配達された宅配物を受け取ることに、自動車が積載されていない車両積載体を有効活用できる。
あるいは、保管対象の物を収容空間に収容した専用ケースを、自動車が積載されていない車両積載体に載せた状態で駐車装置に格納することにより、駐車装置を、当該物の倉庫として活用できる。例えば、車両積載体が入出庫位置にある状態で、保管対象の物を収容した専用ケースを当該車両積載体に乗り込ませて駐車装置で保管できる。
【００１４】
上述した本発明の荷受方法によると、宅配業者は、駐車装置（例えば荷受人の住戸があるマンションの敷地に設けた駐車装置、一般的な時間貸し駐車装置、または建物のテナント用駐車装置など）の車両積載体に、宅配物を収容した収容体を載せる。また、宅配業者は、宅配物を前記駐車装置に届けた旨の配達済み情報と、該当する車両積載体を特定するための特定情報を荷受人が確認可能な情報伝達媒体に記録する。したがって、荷受人は、配達済み情報を確認して、特定情報により特定される車両積載体を入出庫位置へ移動させる旨の指令情報を、駐車装置に対して入力できる。その結果、その車両積載体が入出庫位置へ移動するので、入出庫位置において荷受人は車両積載体上の収容体内の宅配物を受け取ることができる。
このように、宅配物の配達場所、および、宅配物の受け取り場所として、駐車装置の入出庫位置にある車両積載体を利用するので、自動車が積載されていない車両積載体を有効活用できる。
また、宅配物の配達時に荷受人は在宅している必要がなくなる。一方、宅配業者は、荷受人の在宅の有無にかかわらず、配達してきた宅配物を収容した収容体を、駐車装置の車両積載体に載せればよいので、荷受人の不在による上述の二度手間が無くなり、宅配業者の配達負担を減らすことができる。
【００１５】
上述した本発明の荷送方法によると、宅配業者は、車両積載体を特定する特定情報を含む宅配関連情報を、荷送人が確認可能な情報伝達媒体に記録する。したがって、荷送人は、特定情報を確認して、特定情報により特定される車両積載体を入出庫位置へ移動させる旨の指令情報を、駐車装置に対して入力できる。その結果、その車両積載体が入出庫位置へ移動するので、入出庫位置において荷送人は車両積載体上の収容体内に前記宅配物を入れることができる。宅配業者は、この宅配物を前記駐車装置から搬出して荷受人へ配達できる。
このように、宅配業者に宅配物を預ける場所として、駐車装置の入出庫位置にある車両積載体を利用するので、自動車が積載されていない車両積載体を有効活用できる。
【図面の簡単な説明】
【００１６】
【図１】本発明の実施形態による専用ケースを格納可能な駐車装置の構成を示す。
【図２】（Ａ）は、図１の２Ａ−２Ａ断面図であり、（Ｂ）は、（Ａ）において入出庫位置にある車両積載体に複数の専用ケースを外部から乗り込ませた状態を示す。
【図３】（Ａ）は、図２（Ｂ）の３Ａ−３Ａ矢視図であり、（Ｂ）は、（Ａ）の３Ｂ−３Ｂ矢視図であり、（Ｃ）は（Ａ）の３Ｃ−３Ｃ矢視図である。
【図４】（Ａ）は、図３（Ｃ）の４Ａ−４Ａ矢視図であり、（Ｂ）は、（Ａ）において開閉部材が開位置へ移動した状態を示す。
【図５】（Ａ）（Ｂ）は構成例１の転倒防止装置を示し、（Ｃ）（Ｄ）は構成例２の転倒防止装置を示し、（Ｅ）は構成例３の転倒防止装置を示し、（Ｆ）は、構成例４の転倒防止装置３０を示す。
【図６】（Ａ）は構成例５の転倒防止装置を示し、（Ｂ）は構成例６の転倒防止装置を示し、（Ｃ）は構成例７の転倒防止装置を示し、（Ｄ）は構成例８の転倒防止装置を示し、（Ｅ）は構成例９の転倒防止装置を示す。
【図７】（Ａ）は構成例１０の転倒防止装置を示し、（Ｂ）（Ｃ）は構成例１１の転倒防止装置を示す。
【図８】本発明の実施形態による荷受方法を示すフローチャートである。
【図９】本発明の実施形態による荷受方法の説明図である。
【図１０】本発明の実施形態による荷送方法を示すフローチャートである。
【図１１】本発明の実施形態による荷送方法の説明図である。
【図１２】収容体がリヤカーに設けられている場合を示す。
【発明を実施するための形態】
【００１７】
本発明の実施形態を図面に基づいて説明する。なお、各図において共通する部分には同一の符号を付し、重複した説明を省略する。
【００１８】
（駐車装置の構成）
図１と図２は、本発明の実施形態による専用ケース２０を格納可能な駐車装置１０の構成を説明するための図である。図１は、駐車装置の構成を示し、図２（Ａ）は、図１の２Ａ−２Ａ断面図であり、駐車装置１０の入出庫位置Ｐを示す。図１と図２（Ａ）の構成は一例であって、駐車装置１０の構成は図１に限定されない。
【００１９】
駐車装置１０は、複数の格納位置３にそれぞれ設けられ格納位置３と入出庫位置Ｐとの間で移動させられる複数の車両積載体５（例えばパレット）を備える。いずれかの車両積載体５が入出庫位置Ｐにある状態で、該車両積載体５へ外部から自動車１が乗り込み可能であり、該車両積載体５から外部へ自動車１が乗り出し可能である。
【００２０】
図１の例では、駐車装置１０はエレベータ式駐車装置１０である。この場合、駐車装置１０は、上下方向に延びる昇降路７と、昇降路７を昇降するリフト９と、昇降路７に水平方向に隣接して上下に複数段に配置された（すなわち複数の格納位置３となる）格納棚と、各格納棚に設けられ自動車１１が積載されるパレット５とを備える。リフト９は、複数本のワイヤ１１で吊るされており、ワイヤ１１が上下に駆動されることにより昇降させられる。リフト９は、入出庫階（図１と図２（Ａ）では、破線で囲んだ入出庫位置Ｐのある階）と各格納棚の高さとの間で昇降させられる。各格納棚のパレット５は、この格納棚と、この格納棚の高さに位置したリフト９との間で水平方向に横行させられる。
【００２１】
なお、駐車装置１０は、フォーク式駐車装置、垂直循環式駐車装置、二多段式駐車装置、平面往復式駐車装置、または他の形式の駐車装置であってもよい。以下の説明においても、駐車装置１０は、エレベータ式駐車装置以外の形式の駐車装置にであってもよい。
【００２２】
（専用ケースの構成）
図２（Ｂ）は、図２（Ａ）において入出庫位置Ｐにある車両積載体５に、自動車１の代わりに複数の専用ケース２０を、外部から乗り込ませた状態を示す。図３（Ａ）は、図２（Ｂ）の３Ａ−３Ａ矢視図（すなわち平面図）である。図３（Ｂ）は図３（Ａ）の３Ｂ−３Ｂ矢視図であり、図３（Ｃ）は図３（Ａ）の３Ｃ−３Ｃ矢視図である。
【００２３】
専用ケース２０は、後述する荷受方法または荷送方法で使用されるものであってよい。駐車装置１０の専用ケース２０を図３に基づいて説明する。図３は、専用ケース２０の構成例を示す。専用ケース２０は、宅配物を内部の収容空間２１ａ（後述する）に収容可能なケース本体２１と、ケース本体２１の下部に設けられ路面上を転動可能な複数の車輪２３とを備える。いずれかの車両積載体５が入出庫位置Ｐにある状態で、専用ケース２０は、複数の車輪２３の転動により、外部から該車両積載体５へ乗り込み可能であり、該車両積載体５から外部へ乗り出し可能に構成されている。なお、専用ケース２０が車両積載体５に乗り込んだ後、車輪２３を回転不能にする適宜のストッパが各車輪２３に設けられてよい。
【００２４】
なお、車両積載体５へ外部から自動車１が乗り込む方向（図２（Ａ）（Ｂ）の左右方向）を縦方向として、車両積載体５（パレット）は、図３（Ｂ）に示すように、縦方向に対する横方向（図３（Ｂ）の左右方向）の中央部に位置し（後述の凹部５ｂから）上方へ盛り上がった凸部５ａと、該凸部５ａの横方向の両側にそれぞれ位置し凸部５ａよりも低く自動車１の左右のタイヤがそれぞれ進入可能な１対の凹部５ｂを有する。図３の例では、凹部５ｂは、各専用ケース２０が乗り込むスペースになっている。この場合、凸部５ａは、人が、凹部５ｂ上の専用ケース２０から荷物を取り出し又は凹部５ｂ上の専用ケース２０に荷物を収容するために乗り込むスペースになっている。そのため、図３の例では、各専用ケース２０は、空の車両積載体５における凹部５ｂに乗り込み可能な寸法を有する。例えば、各専用ケース２０本体の横方向（各車輪２３の回転軸Ｃｗの方向）の寸法は、凹部５ｂの横方向の寸法よりも小さい（例えば当該寸法よりも若干小さい）か、又は、凹部５ｂの横方向の寸法と同程度である。なお、図３（Ｂ）では、車両積載体５の横方向両端部にも、凹部５ｂから上方へ盛り上がった凸部５ｃが設けられている。なお、凹部５ｂと凸部５ａ，５ｃとの段差により、自動車１のタイヤを案内することができる。
【００２５】
図４（Ａ）は、図３（Ｃ）の４Ａ−４Ａ矢視図である。ケース本体２１の内部には宅配物を収容可能な収容空間２１ａが形成されている。ケース本体２１は、収容空間２１ａを外部に対して閉じる閉位置（図４（Ａ）の位置）と収容空間２１ａを外部に開く開位置（図４（Ｂ）の位置）との間で移動可能な開閉部材２４を有する。凸部５ａ乗った人が開閉部材２４を開けられるように（開位置へ移動させられるように）、開閉部材２４は、ケース本体２１において車輪２３の回転軸Ｃｗ方向の一方側の側面（図３（Ａ）では凸部５ａ側の第１の側面２１ｂ）の側に設けられる。図３の例では、開閉部材２４は、ケース本体２１に設けられた引き出し２４である（ただし開閉部材２４は、扉であってもよいし他の構成を有していてもよい）。各引き出し２４の内部に収容空間２１ａが形成されている。
【００２６】
専用ケース２０は、ロック部材２５と解除装置２７とを有する。ロック部材２５は、閉位置の開閉部材２４が開位置へ移動することを阻止するロック位置と、当該阻止を解除する解除位置との間で移動可能である。解除装置２７は、予め定められた認証データを（例えば無線通信により、又は、専用ケース２０に設けたタッチパネルやボタンなどの入力部２７ｂ（後述の図９と図１１を参照）になされた入力操作により）受けるとロック部材２５をロック位置から解除位置に移動させる。ロック部材２５は、図３（Ｃ）の例では引き出し２４の内壁面に設けられており、図４（Ａ）において図４（Ａ）ではロック位置にあり、引き出し２４が開位置へ引き出されようとすると、ケース本体２１の内面に係止されることにより収容空間２１ａが開くこと（すなわち引き出し２４が開位置へ引き出されること）を阻止する。図４（Ｂ）では、ロック部材２５は解除位置にあり、引き出し２４が開位置へ引き出されて収容空間２１ａが開いた状態にある。このように認証データを用いて収容空間２１ａを開けるようにした構成により、宅配物を安全に収容空間２１ａに収容できる。
【００２７】
・転倒防止装置
専用ケース２０は、車両積載体５に乗り込んだ専用ケース２０の転倒を防止する転倒防止装置３０を備える。転倒防止装置３０は、車両積載体５が移動時に揺れることにより専用ケース２０が転倒することを防止するためのものである。図５（Ａ）〜図７（Ｃ）は、図３（Ｂ）の部分拡大図（または拡大図）に相当するが、転倒防止装置３０を設けた場合を示す。
【００２８】
＜構成例１＞
図５（Ａ）（Ｂ）は、構成例１の転倒防止装置３０を設けた場合を示す。構成例１では、転倒防止装置３０は、ケース本体２１における第１および第２の側面２１ｂ，２１ｃと車両積載体５とをそれぞれ連結する２つの連結部材３１を備える。これらの連結部材３１は同じ構成を有する。連結部材３１は、棒状の第１連結部３１ａと第２連結部３１ｂを有する。第１連結部３１ａと第２連結部３１ｂは剛体であってよい。第１連結部３１ａの一端部は、ケース本体２１の第１または第２の側面２１ｂ，２１ｃに軸Ｃ１まわりに回転可能に取り付けられている。第１連結部３１ａの他端部は、第２連結部３１ｂの一端部に軸Ｃ２まわりに回転可能に連結されている。
【００２９】
なお、第１および第２の側面２１ｂ，２１ｃは、それぞれ、車輪２３の回転軸Ｃｗ方向におけるケース本体２１の両側に位置する（これは図５（Ｃ）〜図７（Ｃ）の場合にも当てはまる）。また、軸Ｃ１，Ｃ２は、それぞれ対応する側面２１ｂ，２１ｃに平行な水平軸であってもよいし、それぞれ対応する側面２１ｂ，２１ｃに平行であって水平軸から傾いた軸であってもよい（これは、図５（Ｃ）（Ｄ）の軸Ｃ１にも当てはまる）。
【００３０】
第２連結部３１ｂの他端部には永久磁石３３が取り付けられている。永久磁石３３は、その磁力で車両積載体５（例えば車両積載体５を形成する強磁性体、または車両積載体５に設けた永久磁石）と引き合うことにより、図５（Ａ）のように、車両積載体５に取り外し可能に連結される。
【００３１】
連結部材３１の未使用時には、第２連結部３１ｂは、図５（Ａ）の展開状態から図５（Ｂ）のように、軸Ｃ２まわりの折り畳み方向に回転することにより第１連結部３１ａに対して折り畳み可能である。ここで、折り畳み方向は、図５（Ａ）の右側の連結部材３１では反時計回りであり、図５（Ａ）の左側の連結部材３１では時計回りである。連結部材３１の使用時には、第２連結部３１ｂは、図５（Ｂ）の状態から図５（Ｂ）のように、折り畳み方向と反対の展開方向に軸Ｃ２まわりに第１連結部３１ａに対して回転することより展開して永久磁石３３が車両積載体５（凸部５ａ，５ｃ）に磁力で連結可能である。このように各連結部材３１の永久磁石３３を車両積載体５に連結することにより、ケース本体２１の転倒が防止される。
【００３２】
なお、図５（Ａ）のように展開した上記展開状態から、第２連結部３１ｂが第１連結部３１ａに対して展開方向に更に回転することを阻止するストッパが、第１連結部３１ａと第２連結部３１ｂとの連結部に設けられてよい。
【００３３】
＜構成例２＞
図５（Ｃ）（Ｄ）は、構成例２の転倒防止装置３０を設けた場合を示す。構成例２では、転倒防止装置３０は、ケース本体２１における第１および第２の側面２１ｂ，２１ｃと車両積載体５とをそれぞれ連結する２つの連結部材３１を備える。これらの連結部材３１は同じ構成を有する。構成例２では、連結部材３１は剛体であってよい。連結部材３１の一端部は、ケース本体２１の第１または第２の側面２１ｂ，２１ｃに軸Ｃ１まわりに回転可能に取り付けられている。連結部材３１の他端部には永久磁石３３が取り付けられている。永久磁石３３の機能は構成例１の場合と同じである。
【００３４】
棒状の連結部材３１は、未使用時には、図５（Ｄ）のように、第１または第２の側面２１ｂ，２１ｃと平行になっており、凹部５ｂの真上に位置していてよい。連結部材３１は、使用時には、図５（Ｃ）のように、軸Ｃ１まわりの回転により永久磁石３３が車両積載体５の凸部５ａ，５ｃに磁力で連結可能である。このように各連結部材３１の永久磁石３３を車両積載体５に連結することにより、ケース本体２１の転倒が防止される。
【００３５】
＜構成例３＞
図５（Ｅ）は、構成例３の転倒防止装置３０を設けた場合を示す。構成例３では、転倒防止装置３０は、ケース本体２１における第１および第２の側面２１ｂ，２１ｃと車両積載体５とをそれぞれ連結する２つの連結部材３１を備える。これらの連結部材３１は同じ構成を有する。構成例３では、連結部材３１は弾性体である。連結部材３１は、その中心軸の方向に延びており、この中心軸方向の一端部と他端部がそれぞれケース本体２１における第１または第２の側面２１ｂ，２１ｃと車両積載体５とに結合される。
【００３６】
そのために、連結部材３１の両端部にはそれぞれ永久磁石３３が取り付けられている。連結部材３１の一端部の永久磁石３３は、その磁力で側面２１ｂ，２１ｃ（例えば側面２１ｂ，２１ｃを形成する強磁性体、または側面２１ｂ，２１ｃに設けた永久磁石）と引き合うことにより、図５（Ｅ）のように、側面２１ｂ，２１ｃに取り外し可能に連結される。各連結部材３１の他端部の永久磁石３３は、その磁力で車両積載体５（例えば車両積載体５を形成する強磁性体、または車両積載体５に設けた永久磁石）と引き合うことにより、図５（Ｅ）のように、車両積載体５に取り外し可能に連結される。このように各連結部材３１の両端部の永久磁石３３をそれぞれ第１または第２の側面２１ｂ，２１ｃと車両積載体５に連結することにより、ケース本体２１の転倒が防止される。なお、図５（Ｅ）では、各連結部材３１は、その中心軸を回りながら、この中心軸の方向に延びているコイルバネである。
【００３７】
＜構成例４＞
図５（Ｆ）は、構成例４の転倒防止装置３０を設けた場合を示す。構成例４は、以下で説明する点以外は上述の構成例３と同じである。構成例４では、連結部材３１の両端部には、構成例３の永久磁石３３の代わりに、それぞれ、フック３５とフック受け３７の一方（図５（Ｆ）ではフック３５）が取り付けられている。ケース本体２１における側面２１ｂ，２１ｃには、フック３５とフック受け３７の他方（図５（Ｆ）ではフック受け３７）が取り付けられている。フック３５をフック受け３７の孔に引っ掛けることによりフック３５とフック受け３７とが連結される。連結部材３１の一端部に取り付けたフック３５とフック受け３７の一方を、ケース本体２１における第１または第２の側面２１ｂ，２１ｃに取り付けたフック３５とフック受け３７の他方に連結し、連結部材３１の他端部に取り付けたフック３５とフック受け３７の一方を、車両積載体５に取り付けたフック３５とフック受け３７の他方に連結する。このように、各連結部材３１で、車両積載体５とケース本体２１とを連結することによりケース本体２１の転倒が防止される。
【００３８】
＜構成例５＞
図６（Ａ）は、構成例５の転倒防止装置３０を設けた場合を示す。構成例５では、連結部材３１は弾性体ではなく、剛体（例えば金属製または木製の部材）、または、変形自在な紐体（例えばロープまたはテープ）である。構成例５において他の点は、上述の構成例３と同じである。
【００３９】
＜構成例６＞
図６（Ｂ）は、構成例６の転倒防止装置３０を設けた場合を示す。構成例５では、連結部材３１は弾性体ではなく、剛体（例えば金属製または木製の部材）、変形自在な紐体（例えばロープまたはテープ状部材）である。構成例６において他の点は、上述の構成例４と同じである。
【００４０】
＜構成例７＞
図６（Ｃ）は、構成例７の転倒防止装置３０を設けた場合を示す。構成例７では、転倒防止装置３０は、傾きストッパ３９を有する。傾きストッパ３９は、車両積載体５においてケース本体２１が傾こうとすると、車両積載体５の上面との接触によりケース本体２１の傾きを制限する。これにより、ケース本体２１の転倒が防止される。傾きストッパ３９は、ケース本体２１が傾こうとすると車両積載体５の上面（図では凸部５ａ，５ｃ）と接触する接触面３９ａを有する。車両積載体５においてケース本体２１が傾いていない状態では、接触面３９ａと車両積載体５の上面（凸部５ａ，５ｃ）との間には、鉛直方向に隙間が存在していてよい。
【００４１】
＜構成例８＞
図６（Ｄ）は、構成例８の転倒防止装置３０を設けた場合を示す。転倒防止装置３０は、ケース本体２１に渡し掛けられる変形自在な渡し材４１である。渡し材４１は、一端側部４１ａと他端側部４１ｂと中間部４１ｃを有する。一端側部４１ａは、ケース本体２１の第１の側面２１ｂの側において車両積載体５の上面に取り外し可能に連結される。他端側部４１ｂは、ケース本体２１における第１の側面２１ｂと反対側の第２の側面２１ｃの側において車両積載体５の上面に取り外し可能に連結される。中間部４１ｃは、一端側部４１ａから他端側部４１ｂまで延びている変形自在な部分である。中間部４１ｃは、紐体（例えばロープまたはテープ）、網、または、シートであってよい。
【００４２】
この構成で、図６（Ｄ）のように、第１の側面２１ｂの側で一端側部４１ａを車両積載体５の上面に連結し、中間部４１ｃをケース本体２１の上面に掛け、第２の側面２１ｃの側で他端側部４１ｂを車両積載体５の上面に連結できる。このように配置した使用した渡し材４１により、ケース本体２１の傾きが抑えられるので、ケース本体２１の転倒が防止される。渡し材４１は、紐体（例えばロープまたはテープ）、網、または、シートであってよい。
【００４３】
図６（Ｄ）では、一端側部４１ａと他端側部４１ｂには、それぞれ永久磁石３３が取り付けられている。これらの永久磁石３３は、その磁力で車両積載体５（例えば車両積載体５を形成する強磁性体、または車両積載体５に設けた永久磁石）と引き合うことにより、図６（Ｄ）のように、車両積載体５に取り外し可能に連結される。
【００４４】
＜構成例９＞
図６（Ｅ）は、構成例９の転倒防止装置３０を設けた場合を示す。構成例９は、以下で説明する点以外は上述の構成例８と同じである。構成例９では、一端側部４１ａと他端側部４１ｂの各々には、永久磁石３３の代わりに、フック３５とフック受け３７の一方（図６（Ｅ）ではフック３５）が取り付けられている。車両積載体５には、当該一方と連結可能な、フック３５とフック受け３７の他方（図６（Ｅ）ではフック受け３７）が取り付けられている。
【００４５】
＜構成例１０＞
図７（Ａ）は、構成例１０の転倒防止装置３０を設けた場合を示す。構成例１０では、１つの専用ケース２０と他の専用ケース２０とを連結する連結部材４３を有する。すなわち、連結部材４３は、（例えば横方向）に隣接する２つの専用ケース２０同士を連結する。これにより、専用ケース２０の転倒が防止される。図７（Ａ）では、連結部材４３は、２つの凹部５ｂにそれぞれ位置する２つの専用ケース２０同士を連結する。連結部材４３の一端側部４３ａと他端側部４３ｂには、それぞれ、永久磁石４５が取り付けられている。一端側部４３ａと他端側部４３ｂの永久磁石４５は、それぞれ、その磁力で、２つの専用ケース２０（例えば専用ケース２０を構成する強磁性体、または専用ケース２０に設けた永久磁石）と引き合うことにより、図７（Ａ）のように、これらの専用ケース２０に取り外し可能に連結される。図７（Ａ）の例では、このような連結部材４３が２つ設けられ、一方の連結部材４３は、２つの専用ケース２０（例えば第１の側面２１ｂ）における下部同士を連結し、他方の連結部材４３は、２つの専用ケース２０における上部（例えば上面）同士を連結している。
【００４６】
なお、一端側部４３ａと他端側部４３ｂをそれぞれ２つの専用ケース２０に連結するための連結用構成は、永久磁石４５に限定されない。例えば、連結用構成として、一端側部４３ａと他端側部４３ｂには、永久磁石４５の代わりに、フックとフック受けの一方が取り付けられ、専用ケース２０には、それぞれ、当該一方と連結可能な、フックとフック受けの他方が取り付けられていてもよい。あるいは、連結用構成は、他のもの（例えばネジやボルトなど）であってもよい。
【００４７】
＜構成例１１＞
図７（Ｂ）（Ｃ）は、構成例１１の転倒防止装置３０を設けた場合を示す。構成例１１では、転倒防止装置３０は、ケース本体２１に設けられた永久磁石４７と、人に操作される操作部４９と、昇降機構５１とを有する。昇降機構５１は、操作部４９になされた操作（例えば操作部４９であるレバーの回転）を、永久磁石４７の上下運動に変換する。これにより、永久磁石４７を、車両積載体５の上方の待機位置と、待機位置よりも下方の連結位置との間で昇降させられる。永久磁石４７は、待機位置から車両積載体５に向けて連結位置へ下降させられると、車両積載体５（例えば車両積載体５を構成する強磁性体、または車両積載体５に設けた永久磁石）と磁力で引き合うことにより、図７（Ｃ）のように、車両積載体５に取り外し可能に連結される。
【００４８】
（荷受方法）
図８は、本発明の実施形態による荷受方法を示すフローチャートである。図９は、この荷受方法の説明図である。
【００４９】
本実施形態による荷受方法は、上述した機械式の駐車装置１０を利用した宅配物の荷受方法である。本実施形態の荷受方法では、駐車装置１０は、マンションの敷地に設けられ、荷受人はマンションの住居人であってよい。ただし、本発明は、これに限定されない。例えば、荷受人は、駐車装置１０の近くの住居に住んでいる人であってもよいし、そうでなくてもよい。
【００５０】
本実施形態による荷受方法は、ステップＳ１〜Ｓ５を有する。なお、図３（Ａ）のように、駐車装置１０における入出庫位置Ｐへの入口２（破線で囲んだ領域２）の近くには、操作装置５３（例えば操作盤）が設けられている。この操作装置５３は、後述のように荷受方法で使用されてよい。
【００５１】
ステップＳ１では、いずれかの車両積載体５が入出庫位置Ｐにある状態で、宅配業者が、宅配物を収容した収容体を該車両積載体５に載せる。
【００５２】
ここで、収容体は、一例では上述の専用ケース２０であるが、これに限定されない。すなわち、収容体は、開閉部材とロック部材と解除装置を備えるものであればよい。ここで、開閉部材は、収容体の内部の収容空間を外部に開く開位置と当該収容空間を外部に対して閉じる閉位置との間で移動可能な部材（以下で単に開閉部材という）である。ロック部材は、閉じた収容空間が開くことを阻止するロック位置と、当該阻止を解除する解除位置との間で移動可能な部材（以下で単にロック部材という）である。解除装置は、予め定められた認証データを受けるとロック部材をロック位置から解除位置に移動させる装置（以下で単に解除装置という）である。この段落の内容は、後述の荷送方法で用いられる収容体にも当てはまる。
【００５３】
収容体が専用ケース２０である場合には、開閉部材は、ロック部材は上述のロック部材２５であり、解除装置は上述の解除装置２７である。ステップＳ１において、収容体のロック部材はロック位置にあってよい。
【００５４】
ステップＳ１は、ステップＳ１１〜Ｓ１４を有する。ステップＳ１１で、宅配業者の配達人または他の人は、操作装置５３（例えばボタンまたはタッチパネル）を操作することにより、特定の車両積載体５を格納位置３から入出庫位置Ｐへ移動させる旨の指令情報を入力する。ここで、駐車装置１０がマンションの敷地に設けられている場合には上記他の人はマンションの住人であってよく、駐車装置１０が一般的な時間貸しのものである場合には、上記他の人は駐車装置１０に常駐している操作員であってよく、駐車装置１０が建物（例えばビル）に設けられたものである場合には、上記他の人は当該建物の管理人またはテナントであってよい（これは、以降で述べる「他の人」にも当てはまる）。ステップＳ１２で、入力された指令情報に従って駐車装置１０の制御装置５５が駐車装置１０の動作を制御することにより、特定の車両積載体５が格納位置３から入出庫位置Ｐへ移動させられる。ステップＳ１３で、配達人は、特定の車両積載体５に、駐車装置１０の外部から入口２を通して、宅配物を収容した収容体を乗り込ませる。ステップＳ１４で、配達人は、入出庫位置Ｐから駐車装置１０の外部へ出て、次いで、配達人または上記他の人は、操作装置５３の操作部５３ａ（例えばボタンまたはタッチパネル）を操作することにより、入口２を閉じる旨の指令を入力する。この入力に従って制御装置５５が駐車装置１０を制御することにより、例えば入口２の扉（図示せず）が閉じ、特定の車両積載体５を入出庫位置Ｐから格納位置３へ移動させる。
【００５５】
ステップＳ２において、ステップＳ１で宅配物を駐車装置１０に届けた旨の配達済み情報と、収容体を格納した車両積載体５を特定するための特定情報とを含む宅配関連情報を、荷受人が確認可能な情報伝達媒体に記録する通知処理を宅配業者が行い。
この通知処理は、例えば次の（１）または（２）の処理であってよい。
（１）宅配業者（例えばステップＳ１を行った配達人）が、端末５７（例えばスマートフォンまたはパソコン）を操作して、宅配関連情報を情報伝達媒体としての電子メールに記録し、その後、この電子メールを（例えばインターネットを介して）荷受人のメールアドレスに送信する。
（２）宅配業者が、宅配関連情報を、情報伝達媒体としての用紙に記録し、この用紙を荷受人の郵便受けに入れる。
【００５６】
宅配関連情報のうち、配達済み情報についての通知処理は上記の（１）または（２）の処理であり、特定情報についての通知処理は、次の（３）の処理であってもよい。
（３）配達人が駐車装置１０における操作装置５３の操作部５３ａを操作することにより、または、宅配業者が宅配業者の端末５７を操作することによりインターネットを介して、特定情報を操作装置５３の記憶部５３ｂに入力して記憶部５３ｂに記録させる。記録された特定情報は、操作装置５３に設けた画面５３ｃに表示される。この場合、特定情報の情報伝達媒体は、記憶部５３ｂと画面５３ｃである。
【００５７】
ステップＳ２の通知処理の結果、配達済み情報と上記特定情報を見た荷受人は、ステップＳ３を行う。
ステップＳ３において、荷受人が、特定情報により特定される車両積載体５を入出庫位置Ｐへ移動させる旨の指令情報を、駐車装置１０の制御装置５５へ入力する。ステップＳ３は、次の（４）の処理を含む。
【００５８】
（４）荷受人は、駐車装置１０の操作装置５３のある場所へ移動して操作部５３ａを操作することにより、または、端末５９を操作することにより、指令情報を入力する。ここで、端末５９を用いる場合には、荷受人は、さらに、入力した特定情報を端末５９から制御装置５５へ（例えばインターネットを介して）送信する操作を端末５９に行う。なお、指令情報は特定情報を含む。
【００５９】
ステップＳ３は、さらに次の（５）の処理を含んでもよい。
（５）荷受人は、操作部５３ａまたは端末５９を操作することにより、車両積載体５を入出庫位置Ｐへ移動させる日時を入力する。この場合、上述の指令情報は当該日時を含む。
【００６０】
ここで、端末５９を用いる場合には、荷受人は、さらに、入力した日時を端末５９から制御装置５５へ（例えばインターネットを介して）送信する操作を端末５９に行う。
【００６１】
上記（４）の処理の結果、特定情報が制御装置５５に入力され、上記（５）の処理の結果、上記日時が制御装置５５に入力される。なお、上記（５）の処理を行わない場合には、制御装置５５は、駐車装置１０を制御することにより、特定情報により特定される車両積載体５を直ぐに入出庫位置Ｐへ移動させてよい。
【００６２】
ステップＳ４において、制御装置５５は、ステップＳ３で入力された指令情報に従って、駐車装置１０を制御して、指令情報の特定情報により特定される車両積載体５を入出庫位置Ｐへ移動させる。この時、指令情報が上記（５）で入力された日時を含む場合には、制御装置５５は、当該日時にステップＳ４を行い、そうでない場合には、制御装置５５は、直ぐに（又は予約されている車両積載体５の動作が完了した後に）、ステップＳ４を行う。
【００６３】
ステップＳ５において、荷受人が入出庫位置Ｐの収容体内の宅配物を受け取る。本実施形態では、ステップＳ５は次のステップＳ５１〜Ｓ５３を含む。
ステップＳ５１において、荷受人は、駐車装置１０の外部から入口２を通って入出庫位置Ｐへ移動し、認証データを、車両積載体５上の収容体の解除装置に入力する。この入力は、例えば次の（６）または（７）により行われてよい。
（６）荷受人が、認証データ保持媒体を、解除装置の読取部（例えば図９に示す解除装置２７の読取部２７ａ）から設定距離以内の位置へ持っていく。これにより、読取部は、認証データ保持媒体に保持された認証データを無線で読み取る。すなわち、認証データが解除装置に入力される。この場合、認証データ保持媒体は、例えばスマートフォンまたはＲＦ（Ｒａｄｉｏ  Ｆｒｅｑｕｅｎｃｙ）タグであってよい。
（７）解除装置の入力部（例えば図９に示す解除装置２７の入力部２７ｂ）を用いて、認証データ（例えば認証番号）を解除装置に入力する。この入力部は、例えば複数のボタンまたはタッチパネルであってよい。
なお、上記の読取部と入力部は収容体に設けられている。また、認証データは、上述した宅配関連情報に含まれていてもよいし、予め、宅配業者から指定されて認証データ保持媒体に保持されていてもよい。
【００６４】
ステップＳ５２において、解除装置は、ステップＳ５１で入力された認証データが、自身に予め記憶されている認証データと一致すると判断したら、ロック部材をロック位置から解除位置へ移動させる。
【００６５】
ステップＳ５３において、荷受人は、開閉部材が開位置へ移動した状態で（例えば荷受人が収容体の開閉部材を開位置へ移動させて収容空間を開け）、収容空間から宅配物を取り出す。次いで、ステップＳ５３において、荷受人は、開閉部材を閉位置へ移動させる。その後、ステップＳ５３において、荷受人が例えば収容体に設けられたボタンを押すことにより、解除装置はロック部材をロック位置へ移動させる。その後、荷受人は、入出庫位置Ｐから駐車装置１０の外部へ移動し、次いで、荷受人または上記他の人が、入口２を閉じる旨の指令を操作装置５３に行う。この操作に従って制御装置５５が駐車装置１０を制御することにより、入口２の扉が閉められ、入出庫位置Ｐの車両積載体５が格納位置３へ移動させられる。
【００６６】
なお、ステップＳ４で入出庫位置Ｐへ移動して来た車両積載体５に複数の収容体（例えば専用ケース２０）が載っている場合には、これらの収容体のうちいずれが、荷受人への宅配物が収容されたものであるかを示す情報（例えばこれらの収容体の外面にそれぞれの識別情報が付されている場合には、該当する識別情報）が上述の宅配関連情報に含まれていてよい。
【００６７】
（荷送方法）
図１０は、本発明の実施形態による荷送方法を示すフローチャートである。図１１は、この荷送方法の説明図である。
【００６８】
本実施形態による荷送方法は、上述した機械式の駐車装置１０を利用した宅配物の荷送方法である。本実施形態の荷送方法では、駐車装置１０は、マンションの敷地に設けられ、荷送人はマンションの住居人であってよい。ただし、本発明は、これに限定されない。例えば、荷送人は、駐車装置１０の近くの住居に住んでいる人であってもよいし、そうでなくてもよい。
【００６９】
本実施形態による荷送方法は、上述した駐車装置１０と収容体を利用した宅配物の荷送方法であり、ステップＳ１０１〜Ｓ１０７を有する。駐車装置１０と収容体の構成は、上述した荷受方法の場合と同じである。
【００７０】
ステップＳ１０１において、荷送人が、宅配物の配達の依頼を示す依頼情報を宅配業者に通知する。この依頼情報は、荷送人の住所または宅配物を預けたい駐車装置１０を示す情報を含む。また、依頼情報は、宅配物を駐車装置１０に預けたい日時、および、宅配物の大きさの一方または両方を含んでよい。さらに、依頼情報は、宅配物を受け取る荷受人の氏名と住所を含んでいてもよい。
【００７１】
依頼情報の通知は、例えば、次の（８）または（９）により行われてよい。
（８）荷送人が、端末６１を利用して、インターネット上の、宅配業者が運営するウェブサイトにアクセスする。次いで、荷送人が、端末６１の画面６１ａに表示された、このウェブサイトの入力欄に、端末６１を操作して依頼情報を入力し、この依頼情報をウェブサイトを構築するサーバ（サーバの記憶装置）に送信する。この入力と送信は、荷送人が端末６１を操作することでなされてよい。これにより依頼情報が宅配業者に通知される。
（９）荷送人が、電話または他の手段（例えば電子メール）で、宅配業者に依頼情報を通知する。
【００７２】
なお、依頼情報のうち、荷受人の氏名と住所の通知は、後述のステップＳ１０６の時に行ってもよい。この通知は、上述の（８）または（９）により行われてよい。
【００７３】
ステップＳ１０２において、ステップＳ１０１の依頼情報を受けた宅配業者は、車両積載体５を特定する特定情報を含む宅配関連情報を、荷送人が確認可能な情報伝達媒体に記録する通知処理を行う。この車両積載体５は、これから宅配物を収容可能な収容体を載せたものである。宅配関連情報の通知処理は、荷受方法における上述の（１）、（２）または（３）の処理であってよい。
【００７４】
ステップＳ１０３において、荷送人が、上述の情報伝達媒体に記録された特定情報により特定される車両積載体５を入出庫位置Ｐへ移動させる旨の指令情報を、駐車装置１０（制御装置５５）に対して入力する。このステップＳ１０３は、上述のステップＳ３と同じであってよい。例えば、ステップＳ１０３は、上述した（４）の処理、または、上述した（４）と（５）の処理を含んでよい。
【００７５】
ステップＳ１０４において、制御装置５５は、ステップＳ１０３で入力された指令情報に従って、駐車装置１０を制御して、特定情報により特定される車両積載体５を入出庫位置Ｐへ移動させる。ステップＳ１０４は、上述のステップＳ４と同じであってよい。
【００７６】
ステップＳ１０５において、荷送人が入出庫位置Ｐの収容体内の宅配物を入れる。本実施形態では、ステップＳ１０５は次のステップＳ１５１〜Ｓ１５３を含む。
ステップＳ１５１において、荷送人は、駐車装置１０の外部から入口２を通って入出庫位置Ｐへ移動し、認証データを、入出庫位置Ｐの車両積載体５上の収容体の解除装置に入力する。この入力は、上述の（６）または（７）により行われてよい。この場合、上述した（６）（７）の記載において「荷受人」が「荷送人」に読み替えられた内容で、当該入力が行われる。ステップＳ１５１で用いられる認証データは、上述の宅配関連情報に含まれていてもよい。この場合、上述のステップＳ１０２において、認証データについての通知処理は、上述の（１）により行われてよいし、他の方法で行われてもよい。
【００７７】
ステップＳ１５２において、解除装置は、ステップＳ１５１で入力された認証データが、自身に予め記憶されている認証データと一致すると判断したら、ロック部材をロック位置から解除位置へ移動させる。
【００７８】
ステップＳ１５３において、荷送人は、開閉部材が開位置へ移動した状態で（例えば荷送人が収容体の開閉部材を開位置へ移動させて収容空間を開け）、収容空間に、配達を依頼する宅配物を入れる。次いで、ステップＳ１５３において、荷送人は、開閉部材を閉位置へ移動させる。その後、ステップＳ１５３において、荷送人が例えば収容体に設けられたボタンを押すことにより、解除装置はロック部材をロック位置へ移動させる。その後、荷送人は、入出庫位置Ｐから駐車装置１０の外部へ移動し、荷送人または上記他の人が、入出庫位置Ｐから荷送人が退出した旨の操作を操作装置５３に行う。この操作に従って制御装置５５が駐車装置１０を制御することにより、入口２の扉が閉められ、入出庫位置Ｐの車両積載体５が格納位置３へ移動させられる。
【００７９】
なお、ステップＳ１０４で入出庫位置Ｐへ移動して来た車両積載体５に複数の収容体（例えば専用ケース２０）が載っている場合には、これらの収容体のうちいずれが、荷送人が宅配物を収容すべきものであるかを示す情報（例えばこれらの収容体の外面にそれぞれの識別情報が付されている場合には、該当する識別情報）が上述の宅配関連情報に含まれていてよい。
【００８０】
ステップＳ１０６において、荷送人は、宅配物の格納が完了したことを宅配業者に通知する。この通知は、次の（１０）または（１１）により行われてよい。
（１０）荷送人が、端末６１を利用して、インターネット上の、宅配業者が運営するウェブサイトにアクセスする。次いで、端末６１の画面６１ａに表示された、このウェブサイトの入力欄に、宅配物の格納が完了した旨を入力しまたはチェックを付け、当該入力またはチェックがなされた旨を、ウェブサイトを構築するサーバ（サーバの記憶装置）に送信する。この入力またはチェックと送信は、荷送人が端末６１を操作することでなされてよい。
（１１）荷送人が、電話または他の手段（例えば電子メール）で、宅配物の格納完了を宅配業者に通知する。
【００８１】
なお、ステップＳ１０６において、例えば、荷送人は宅配物の宅配の料金を電子決済で支払うこともできる。
【００８２】
ステップＳ１０７において、宅配業者がステップＳ１０５で格納された宅配物を、駐車装置１０から搬出して荷受人へ配達する。すなわち、宅配業者（配達人）または上記他の人が、当該宅配物が収容された収容体を載せた車両積載体５を入出庫位置Ｐへ移動させる操作を操作装置５３の操作部５３ａに行い、これにより入出庫位置Ｐへ移動して来た車両積載体５上の収容体に収容された宅配物を、荷受人の住所へ配達する。この時、収容体から宅配物を取り出して宅配物を運搬してもよいし、収容体の収容空間に宅配物が収容された状態で宅配物を収容体と共に運搬してもよい。
【００８３】
本発明は上述した実施の形態に限定されず、本発明の技術的思想の範囲内で種々変更を加え得ることは勿論である。例えば、以下の形態１〜８のいずれかを採用してもよいし、形態１〜８の２つ以上を、内容が矛盾しなければ、任意に組み合わせて採用してもよい。この場合、以下で述べない点は上述と同じである。
【００８４】
（形態１）
専用ケース２０のケース本体２１における第１および第２の側面２１ｂ，２１ｃの一方には、上述した構成例１〜６のいずれかの連結部材３１を設け、この連結部材３１と構成が異なる、上述した構成例１〜６のいずれかの連結部材３１を第１および第２の側面２１ｂ，２１ｃの他方に設けてもよい。
【００８５】
（形態２）
上述した荷受方法または荷送方法において、収容体は、（荷受方法では上述のステップＳ１（Ｓ１３）で）車両積載体５に乗り込んだ宅配自動車に設けられているものであってよい。この場合、収容体は、宅配自動車の荷物入れ（例えばトランク）であってもよい。
または、上述した荷受方法または荷送方法において、収容体は、（荷受方法では上述のステップＳ１（Ｓ１３）で）車両積載体５に乗り込んだ宅配自動車に積まれているものであってもよい。
【００８６】
（形態３）
上述した荷受方法または荷送方法において、収容体は、（荷受方法では上述のステップＳ１（Ｓ１３）で）車両積載体５に乗り込んだリヤカーに設けられ又は該リヤカーに積まれたものであってもよい。
【００８７】
図１２は、この場合の構成例を示す。図１２（Ａ）は、図３（Ａ）に相当する平面図であり、図１２（Ｂ）は、図１２（Ａ）の１２Ｂ−１２Ｂ矢視図である。図１２では、上述の収容体は、リヤカー６３に設けられている。図１２の例のように、このようなリヤカー６３を車両積載体５に複数乗り込ませることができる。
また、図１２のように、リヤカー６３を載せる車両積載体５に、自転車６５の設置スペースＳａ（破線で囲んだ領域Ｓａ）が設けられてもよい。例えば、設置スペースＳａには、複数の自転車設置台６７が設けられ、各自転車設置台６７に自転車６５の車輪を置くことにより、自転車６５が倒れないように自転車設置台６７に自転車６５が支持される。また、車両積載体５には、駐車装置１０の入口２と設置スペースＳａとの間を自転車６５が移動できるように自転車通路Ｓｂ（破線で囲んだ領域Ｓｂ）が確保されている。なお、図１２において、自転車の設置スペースａと自転車通路Ｓｂを省略してもよい。
【００８８】
（形態４）
専用ケース２０の用途は、上述した荷受方法または荷送方法に限定されてもよいし、専用ケース２０は、車両積載体５に積載して用いるものであれば他の用途に用いてもよい。
【００８９】
例えば、収容空間２１ａに保管対象の物を収容した専用ケース２０を、車両積載体５に載せた状態で駐車装置１０に格納することにより、駐車装置１０を、当該物の倉庫として活用してもよい。この場合、宅配業者は、例えば、このような駐車装置１０に、宅配便を一時的に保管しておく倉庫として利用できる。これにより、宅配業者は、例えばビルの１階に小スペースの倉庫を借りることが不要になる。したがって、ビルの１階を借りることによる家賃や敷金や礼金などが不要になり、必要な時だけ又は月極めで、駐車装置１０の車両積載体５の利用料金を支払えば済むようになる。
【００９０】
（形態５）
駐車装置１０において、収容体（例えば専用ケース２０）も自動車も積載されていない車両積載体５を、次のように宅配業者の宅配自動車の駐車に利用してもよい。まず、入出庫位置Ｐにある車両積載体５に、翌日に駐車装置１０の近辺に配達する宅配物を積んだ宅配自動車を宅配業者（例えば配達人）が乗り込ませる。翌日なったら、この車両積載体５が入出庫位置Ｐに位置する状態で、当該宅配自動車から各宅配物を取り出して、宅配業者が宅配物を配達する。当該宅配自動車に積んだ宅配物を全て配達したら、この宅配自動車を、指定場所（例えば営業所）まで走行させ、この指定場所で、当該宅配自動車に、次の日（翌日）に配達する宅配物を積み、再び、駐車装置１０の車両積載体５に乗り込ませ、上述の手順を繰り返す。
【００９１】
（形態６）
上述の荷受方法または荷送方法は、新たに製造された駐車装置１０を利用してもよいし、既設の駐車装置１０を利用してもよい。
【００９２】
（形態７）
上述のステップＳ１０１を省略し、ステップＳ１０２を、次のように行ってもよい。ステップＳ１０３の前に、予め、ステップＳ１０２において、宅配業者が、駐車装置１０における操作装置５３の操作部５３ａを操作することにより、または、端末５７を操作することによりインターネットを介して、特定情報を操作装置５３の記憶部５３ｂに入力して記憶部５３ｂに記録させる。この特定情報は、宅配物を収容可能な収容体を載せた車両積載体５を特定する情報である。記憶部５３ｂに記録された当該特定情報は、操作装置５３に設けた画面５３ｃに表示される。この表示は、操作装置５３の特定のボタンを押したらなされてもよいし、画面５３ｃに人が近づいたことを適宜のセンサーが検知したことによりなされてもよい。このような表示により、荷受人は特定情報を確認できる。この場合、ステップＳ１０２の情報伝達媒体は、操作装置５３に設けた記憶部５３ｂと画面５３ｃにより構成される。
【００９３】
この場合、ステップＳ１０６において、荷送人は、特定情報が示す車両積載体５の収容体への宅配物の収容を完了した旨と、荷受人の氏名と住所と、必要ならば他の情報とを、依頼情報として、宅配業者に通知する。この通知は、次の（１２）または（１３）により行われてよい。
【００９４】
（１２）荷送人が、端末６１を利用して、インターネット上の、宅配業者が運営するウェブサイトにアクセスする。次いで、端末６１の画面６１ａに表示された、このウェブサイトの入力欄に、依頼情報を入力し、当該入力した依頼情報を、ウェブサイトを構築するサーバ（サーバの記憶装置）に送信する。この入力と送信は、荷送人が端末６１を操作することでなされてよい。
（１１）荷送人が、電話または他の手段（例えば電子メール）で、依頼情報を宅配業者に通知する。
【００９５】
（形態８）
上述した車両積載体（パレット）５は、上述した凹部５ｂと凸部５ａ，５ｃを有していなくてもよい。例えば、車両積載体（パレット）５の上面の全体が平らであってもよい。
【符号の説明】
【００９６】
１  自動車、２  入口、３  格納位置、５  車両積載体（パレット）、５ａ  凸部、５ｂ  凹部、５ｃ  凸部、７  昇降路、９  リフト、１０  駐車装置、１１  ワイヤ、２０  専用ケース、２１  ケース本体、２１ａ  収容空間、２１ｂ  第１の側面、２１ｃ  第２の側面、２３  車輪、２４  開閉部材（引き出し）、２５  ロック部材、２７  解除装置、２７ａ  読取部、２７ｂ  入力部、３０  転倒防止装置、３１  連結部材、３１ａ  第１連結部、３１ｂ  第２連結部、３３  永久磁石、３５  フック、３７  フック受け、３９  傾きストッパ、３９ａ  接触面、４１  渡し材、４１ａ  一端側部、４１ｂ  他端側部、４１ｃ  中間部、４３  連結部材、４３ａ  一端側部、４３ｂ  他端側部、４５  永久磁石、４７  永久磁石、４９  操作部、５１  昇降機構、５３  操作装置、５３ａ  操作部、５３ｂ  記憶部、５３ｃ  画面、５５  制御装置、５７  宅配業者の端末、５９  荷受人の端末、６１  荷送人の端末、６１ａ  画面、６２  収容体、６３  リヤカー、６５  自転車、６７  自転車設置台、Ｐ  入出庫位置、Ｃｗ  回転軸、Ｃ１  軸、Ｃ２  軸、Ｓａ  設置スペース、Ｓｂ  自転車通路
【図１】
2018112001.tif 000003
【図２】
2018112001.tif 000004
【図３】
2018112001.tif 000005
【図４】
2018112001.tif 000006
【図５】
2018112001.tif 000007
【図６】
2018112001.tif 000008
【図７】
2018112001.tif 000009
【図８】
2018112001.tif 000010
【図９】
2018112001.tif 000011
【図１０】
2018112001.tif 000012
【図１１】
2018112001.tif 000013
【図１２】
2018112001.tif 000014